(57)【要約】【課題】  病院や福祉施設での移乗介助は、足腰の弱った利用者の脚力不足を、すべて介護者の力で補ってきた。しかし、その利用者の過大な重量を支え続けることが、介護者の腰痛の主な原因となっている。【解決手段】  支柱上端の滑車に、錘付きのロープを掛ける。錘に対して反対側のロープの端に手を掛けて、錘の重さに逆らって押し下げる。そして、利用者の腰の部分を引き上げれば、介護者の引上げ力を錘の重量だけ軽減し、腰の負担を減らすことができる。以後の介助動作は従来通りだから、利用者と介護者の双方にとって簡単かつ安全な介助となる。【選択図】図１
2015066418.tif 000002
【特許請求の範囲】
【請求項１】
支柱上端に掛かるロープの一端に錘を吊るし、他端に掛けた手を押し下げて対象を掴み、引き上げる力を錘の重さだけ軽くすることを特徴とする装置。
【請求項２】
引上げロープ端に付けて対象のベルト部を保持する機構と、対象から手が外れた時にロープを掴んで停止する機構の、二つの機構を特徴とする請求項１に記載の装置。
【発明の詳細な説明】
【発明の詳細な説明】
【技術分野】
【０００１】  本発明は、車椅子とベッド間の移乗を介助する時等に、使用者の腰の負担を軽減するための、錘付きロープを付属する装置に関する。
【背景技術】
【０００２】  従来の障害者昇降機には、吊り具を使って障害者の全身を持ち上げ、目的の位置まで宙吊りで移動し、障害者を降ろして移乗させる構造のものがある。
【先行技術文献】
【特許文献】
【０００３】
【特許文献１】特表２００４−５２８１１６号公報
【発明の概要】
【発明が解決しようとする課題】
【０００４】  人力による移乗介助の施設では、施設利用者の脚力不足をすべて介護者の力で補っている。しかし、厚生労働省によると、重量物の取り扱いにおいては、女性介護者の場合体重の２４％以下にすることが推奨されている。例えば、体重５０ｋｇの女性は１２ｋｇ以下の取り扱いが推奨されている。利用者の脚力不足のため、介護者が１２ｋｇを超える力を出さざるを得ない介助が、介護者の腰痛の主な原因になっていると考えられる。【０００５】  従来の昇降機では特許文献１のように、利用者の体全体を吊るすため大型になり、病室等の入口を通れず、また室内でも回転や移動に広い空間が必要となり、移動にも大きな力が必要であった。また常に宙吊り移乗のため、利用者の足腰の筋肉は衰える一方であった。シートや帯を利用者の下に敷くのに時間がかかり、荷物のように持ち上げるので利用者に大変な不安を与えてしまった。しかも、利用者にとって快適で滑らかな運転操作には、十分な練習が必要であった。本発明は、前記課題の少なくとも１つを解決する。そして、装置の構成を簡単にして製造を容易にし、コストを下げることができる。
【課題を解決するための手段】
【０００６】  請求項１に記載の発明は、介護者の腰痛問題を解決するために、リフトの支柱上端の滑車を設け、その上にロープを掛ける。ロープの一端に利用者引上げ用ロープ端を備え、他端には錘を備える。錘が宙に浮いている間、滑車の反対側から下がった引上げ用ロープ端は、常に錘の重量だけ引っ張られている。例えば１０ｋｇの錘を浮かせるため、ロープの他端を１０ｋｇの力で押し下げてから、次に１２ｋｇの力で引き上げれば、錘の重さが加わって２２ｋｇの引上げ力が生じることになる。つまり、普段２２ｋｇの力で介助作業を行っていた介護者は、１０ｋｇの錘との差１２ｋｇの力で済み、腰痛発生の危険性が少なくなる。【０００７】  請求項２に記載の発明は、請求項１の発明に加えて、簡単に脱着できるベルト部保持具を取り付けるものであり、また、介護者や利用者に不安を与えないように、瞬時に落下を止める装置を設置するものである。
【発明の効果】
【０００８】  本発明は、脚力の衰えた利用者の力不足を全て介護者が支えるのではなく、力不足の一部をリフトに吊るした錘の重さで補い、介護者の腰の負担を少なくすることを目的としている。従って、本発明は従来の介護動作と同じように人の手で移乗介助をしても、介護者の腰に負担の少ない装置だから、職員の休暇の大きな原因となっている腰痛を防ぐことができる。つまり、本発明はロープ端を押し下げる動作のみ増えるだけで、従来とほとんど同じ介助動作ができる。ロープ端を押し下げてから、利用者のベルト部分を掴んで引き上げるので、介護者の腰の運動が引き上げる動作だけでなく、押し下げる動作を同じ回数する事で腰の矯正にもなる。また、錘を使うことにより厚生労働省の「職場における腰痛予防対策指針」の基準以下の力で、利用者の移乗を介助できる。例えば、本発明の錘を１０ｋｇにすれば、体重５０ｋｇの女性介護者は２２ｋｇまで引き上げることができ、体重４５ｋｇの利用者は約半分の２３ｋｇの脚力でも立ち上がることができる。これは、水中に体半分浸かって歩くのとほぼ同じ効果がある。【０００９】  そして、保持具により腰を確実に支持するため、介護者の握力を軽減できる。保持具の着脱は、車のシートベルトのように安全確実にできて、利用者に触れて動くのは介護者の手だけなので、利用者に保持具を感じさせない。また、複雑な電子回路や電気及び油圧機器を全然使わないから、故障もなく省エネルギーで安心して操作できる。さらに、非常止め装置の利用により、介護者の手が滑って離れても利用者の落下を防ぐことができる。そして、利用者の怪我を防ぐことができる。
【図面の簡単な説明】
【００１０】
【図１】本発明の使用状態を示す斜視図
【図２】図１の装置の正面図
【図３】図１の装置の側面図
【図４】保持具の概念図
【図５】非常止め装置の概念図
【発明を実施するための形態】
【実施例１】
【００１１】  図１は移乗時の本装置の使用状態を示している斜視図、図２は本装置の進行方向正面から見た正面図、図３はその側面図、図４はロープ先端に取り付けて利用者を支える保持具の仕組みの１例、図５は利用者落下防止のための非常止め装置の仕組みの１例を示す。図１〜３において、２はリフト、３は滑車、４はロープ、５は錘である。図１のベッドから車椅子への移乗介助を使用例として説明する。介護者６はリフト２をベッド８の近くに寄せて、ロープ４の先端に手を掛けて押し下げる。次に利用者７の腰に手を回し、利用者７のズボンの後ろの上端を掴んで、利用者７と息を合わせて立ち上がる。そのまま一緒に回転してから、おじぎをするようにして静かに、車椅子に利用者７の腰を下ろす。立ち上がりから車椅子に座るまで、介護者６の手はロープ４に掛かっているので、錘５の重さだけ引上げる力は軽くなっている。それだけ介護者６の腰の負担も少なくなって腰痛防止になる。さらに、この移乗介助動作は従来の方法とほぼ同じ手順なので利用者７も安心でき、介護者６もすぐに本装置を使うことができる。
このように、本発明は利用者の体重の一部のみを支えるため、積載荷重の小さい小型軽量の装置でよい。人の寸法より一回り大きい程度だから、病室の入り口も通れて、回転・移動に広い空間は必要ない。しかも構造が簡単なので、製造を容易にしてコストも下げられる。また、従来と同じ介助動作なので、シートや帯を敷く必要はなく時間もかからない、利用者に不安を与えることなく、介護者にも特別な練習は必要ない。また、人の手の感覚で利用者の脚力を察知し、できるだけ利用者の力を活用することは、利用者の筋肉の維持・強化に効果がある。つまり、移乗介助や歩行訓練に本発明を利用して、介護者の引上げ力を徐々に小さくすることで、利用者の脚力は増強されて自力歩行が回復される。
【実施例２】
【００１２】  図４の概念図のような簡単な構造のバックルを保持具として用いる。ベルト部保持具の構成は、パジャマのズボン上部１３を挟んで外さない把持部１２と、把持部１２をズボン上部１３に押し付けるレバー部１１から成る。車のシートベルトのバックルのように簡単に脱着でき、装着後は確実にズボン上部１３を保持する。使用方法は、錘と反対のロープ端に保持具を取り付ける。錘の重さに逆らって保持具を押し下げ、利用者のズボン上部１３に深く差込み、保持具を少し上げるとレバー部１１の先端が左回転してズボン上部１３を簡単に固定する。ロープ他端に掛かる錘のため、保持具には常に引き上げ方向に力が働く。すると、レバー部１１先端のくさび部分が左回転するように摩擦力が働き、くさび部分がより深くズボン上部１３に食い込む。介助作業中は錘の引き上げ力が、保持具を介して利用者に確実に働き続ける。車椅子に座ってからレバー部１１を右回転すれば、くさび部分も右回転し、レバー部１１の先端くさび部分と、把持部１２左側との間に隙間が広がり、保持具をズボン上部１３から簡単に外すことができる。【００１３】  また、図５の概念図のような簡単な構造のセルフロック機構を非常止め装置として用いる。非常止め装置の構成は、ロープ４を挟む二つの回転部２１と、回転部２１を挟む傾斜部２２から成る。エレベーターの非常止め装置のように、すばやく利用者の落下を防ぐことができる。まず、アーム先端の滑車の下に、ロープ４挟むように非常止め装置を取り付ける。ロープ４を引き下げる時は、錘の重さに逆らって動かすので、その動作はゆっくりと遅いため、ロープを挟む回転部２１の摩擦が弱く、ロープ４は二つの回転部２１の間を滑って下がる。しかし、介護者の手が滑って外れた瞬間に、利用者の落下が始まる。その動作は速く、ロープ４を挟む回転部２１の摩擦力が強く働き、回転部２１をロープ４と共に下に引き下げる。傾斜部２２の隙間は下ほど狭くなっているので、二つの回転部２１の隙間も狭くなり、ロープ４が回転部２１により強く挟まれることになる。その結果、ロープの落下が素早く止まる。止まった後も、利用者の体重によるロープ引き下げ力が働き続け、回転部２１のロープ４への食い込みが続くので、強く引っ張るほどロックが強くなる。回転部２１は上方向には動くので、介護者が利用者を引き上げてやれば、非常止め装置は軽く外れる。そして、あらためて介助動作に戻ることができる。【００１４】  実施例１，２では、移乗介助時の本発明装置を説明したが、本発明の錘付き引上げロープをレール走行式リフトや壁又は柱固定式リフトに取り付けて、引き上げ力を軽減することもできる。また、人力による重量物の持ち上げにも応用が可能となる。したがって、本発明は、以上述べた実施例に限定されるものではない。
【産業上の利用可能性】
【００１５】  本発明装置は、職員の腰痛増加に悩む多くの老人保健施設、社会福祉施設、病院や各家庭等で利用が予想される。また、引上げ力不足を懸念する他の様々な作業にも応用が考えられる。
【符号の説明】
【００１６】１    キャスター
２    リフト
３    滑車
４    ロープ
５    錘
６    介護者
７    利用者
８    ベッド
１１  レバー部
１２  把持部
１３  ズボン上部
２１  回転部
２２  傾斜部
【図１】
2015066418.tif 000003
【図２】
2015066418.tif 000004
【図３】
2015066418.tif 000005
【図４】
2015066418.tif 000006
【図５】
2015066418.tif 000007
【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
支柱上端に掛かるロープの一端に錘を吊るし、他端に掛けた手を押し下げて対象を掴み、引き上げる力を錘の重さだけ軽くすることを特徴とするリフト装置。